(57)【要約】      （修正有）【課題】ベルトを構成する複数のピースからベルトを製造するに際して工具を必要とせず、また、ベルトの長さ調整を自由に行うことができるベルトを提供する。【解決手段】板状の革製のピースが、２つの穴を具備し、二つ折りにすると上記２つの穴が重なり１つの穴を形成し、１つのピースを二つ折りにし、上記重なった１つの穴に、他のピースを二つ折りにしない状態でその半分を挿通した後に、二つ折りにし、重なった１つの穴に、さらに他のピースを二つ折りにしない状態でその半分を挿通した後に、二つ折りにし、これらの処理を繰り返すことによって、ピース連結体ＰＣ１を形成し、上記ピース連結体ＰＣ１の端部に位置する上記ピースを二つ折りにすることによって形成された１つの穴とバックルＢＫ１とを、接続手段Ｃ１によって接続し、上記接続手段を上記重なった１つの穴から外れないようにロックする。【選択図】図１
0003179376.tif 000002
【実用新案登録請求の範囲】
【請求項１】
柔軟な素材で構成され、ほぼ板状のピースであって、少なくとも２つの穴を具備し、二つ折りにすると上記２つの穴が重なり１つの穴を形成する複数のピースと；
上記複数のピースの１つを二つ折りにし、上記重なった１つの穴に、上記複数のピースの他のピースを二つ折りにしない状態でその半分を挿通した後に、二つ折りにし、重なった１つの穴に、上記ピースのさらに他のピースを二つ折りにしない状態でその半分を挿通した後に、二つ折りにし、これらの処理を繰り返すことによって複数の上記ピースが連結されているピース連結体と；
バックルと；
上記ピース連結体の端部に位置する上記ピースを二つ折りにすることによって形成された１つの穴と上記バックルとを互いに接続する接続手段と；
上記ピース連結体の端部に位置する上記ピースと上記接続手段との外れを阻止する外れ阻止手段と；
を有することを特徴とするベルト。
【請求項２】
請求項１において、
上記ベルトは、腰用ベルト、ショルダーストラップ、ハンドル、アンクルベルト、カメラ用ストラップ、ギター用ストラップ、ペットの首輪のうちの少なくとも１つであることを特徴とするベルト。
【請求項３】
柔軟な素材で構成され、ほぼ板状のピースであって、少なくとも２つの穴を具備し、二つ折りにすると上記２つの穴が重なり１つの穴を形成する複数のピースと；
上記複数のピースの１つを二つ折りにし、上記重なった１つの穴に、上記複数のピースの他のピースを二つ折りにしない状態でその半分を挿通した後に、二つ折りにし、重なった１つの穴に、上記ピースのさらに他のピースを二つ折りにしない状態でその半分を挿通した後に、二つ折りにし、これらの処理を繰り返すことによって複数の上記ピースが連結されているピース連結体と；
上記ピース連結体の両端を互いに結合するか、または、上記ピース連結体の一端を所定の物品と結合し、他端も所定の物品と結合する結合手段と；
を有することを特徴とするベルト。
【請求項４】
請求項３において、
上記ベルトは、ショルダーストラップ、ハンドル、アンクルベルト、カメラ用ストラップ、ギター用ストラップ、ペットの首輪のうちの少なくとも１つであることを特徴とするベルト。
【請求項５】
請求項１または請求項３において、
上記ピースに具備されている少なくとも２つの穴の形状は、水滴の形状、三角形、長方形、台形、半円形、扇形、円形の少なくとも１つの形状であることを特徴とするベルト。
【請求項６】
請求項１または請求項３において、
上記ピースを折り線で二つ折りにする場合における上記折り線の長さは、上記ピースを二つ折りにする前における上記折り線とほぼ平行する辺の長さよりも短いことを特徴とするベルト。
【請求項７】
請求項１または請求項３において、
上記ピースは、革、合成樹脂、布、紙の少なくとも１つで構成されていることを特徴とするベルト。
【請求項８】
請求項１において、
上記ロック手段は、上記接続手段と上記重なった１つの穴から着脱自在である手段であることを特徴とするベルト。
【請求項９】
請求項１において、
上記ロック手段は、ねじであることを特徴とするベルト。
【考案の詳細な説明】
【技術分野】
【０００１】
本考案は、複数の柔軟なピースが互いに連続して結合されているベルトに関する。
【背景技術】
【０００２】
人の腰に着用するベルトとして、特許文献１に示す腰ベルトが知られている。この腰ベルトは、１本の連続した帯と、バックルとを有している。
【先行技術文献】
【特許文献】
【０００３】
【特許文献１】特開２０１０−２７０４１３号公報
【考案の概要】
【考案が解決しようとする課題】
【０００４】
一方、上記連続した１本のベルトの代わりに、複数のリングを連鎖的に接続した連続体を使用することが考えられる。
【０００５】
この場合、上記各リングを互いに連結する作業が煩雑であり、また、連結作業を行うために特殊な工具を必要し、したがって、ベルトの製造が煩雑である。さらに、完成したベルトについて、そのベルト全体の長さをユーザが調整することが困難であるという問題がある。
【０００６】
つまり、上記例では、ベルトを構成する複数のピースからベルトを製造する場合、工具を必要とし、また製造が困難であり、また、ベルトの長さをユーザが自由に調整することができないという問題がある。
【０００７】
本考案は、ベルトを構成する複数のピースからベルトを製造するに際して工具を必要とせず、また製造が容易であり、また、ベルトの長さ調整を自由に行うことができるベルトを提供することを目的とする。
【課題を解決するための手段】
【０００８】
本考案のベルトは、柔軟な素材で構成され、ほぼ板状のピースであって、少なくとも２つの穴を具備し、二つ折りにすると上記２つの穴が重なり１つの穴を形成する複数のピースと、上記複数のピースの１つを二つ折りにし、上記重なった１つの穴に、上記複数のピースの他のピースを二つ折りにしない状態でその半分を挿通した後に、二つ折りにし、重なった１つの穴に、上記ピースのさらに他のピースを二つ折りにしない状態でその半分を挿通した後に、二つ折りにし、これらの処理を繰り返すことによって複数の上記ピースが連結されているピース連結体と、バックルと、上記ピース連結体の端部に位置する上記ピースを二つ折りにすることによって形成された１つの穴と上記バックルとを互いに接続する接続手段と、上記接続手段を上記重なった１つの穴から外れないようにロックするロック手段とを有することを特徴とする。
【考案の効果】
【０００９】
本考案によれば、ベルトを構成する複数のピースからベルトを製造するに際して工具を必要とせず、また製造が容易であり、また、ベルトの長さ調整を自由に行うことができるという効果を奏する。
【図面の簡単な説明】
【００１０】
【図１】本考案の実施例１であるベルトＢ１を示す全体構成図である。
【図２】ピース連結体ＰＣ１を構成するピースＰ１１、Ｐ１２、……、Ｐ１ｎを代表して示すピースＰ１を示す斜視図であり、折り返される前の状態を示す図である。
【図３】ピースＰ１について、二つ折りにした後の状態を示す斜視図である。
【図４】ベルトＢ１を構成するバックルＢＫ１と、接続手段Ｃ１とを示す斜視図である。
【図５】本考案の実施例２であるベルトＢ２を示す全体構成図である。
【図６】ピース連結体ＰＣ２を構成するピースＰ２１、Ｐ２２、……、Ｐ２ｎを代表して示すピースＰ２を示す斜視図であり、折り返される前の状態を示す図である。
【図７】ピースＰ２について、二つ折りにした後の状態を示す斜視図である。
【図８】ベルトＢ２を構成するバックルＢＫ２と、接続手段Ｃ２とを示す斜視図である。
【考案を実施するための形態】
【００１１】
以下、本考案の実施の形態について図面を参照して説明する。
【実施例１】
【００１２】
図１は、本考案の実施例１であるベルトＢ１を示す全体構成図である。
【００１３】
ベルトＢ１は、ピース連結体ＰＣ１と、バックルＢＫ１と、接続手段Ｃ１とを有する。
【００１４】
ピース連結体ＰＣ１は、複数のピースＰ１１、Ｐ１２、Ｐ１３、……、Ｐ１ｎが互いに連結して形成されている。
【００１５】
図２は、ピース連結体ＰＣ１を構成するピースＰ１１、Ｐ１２、Ｐ１３、……、Ｐ１ｎを代表して示すピースＰ１を示す斜視図であり、折り返される前の状態を示す図である。
【００１６】
ピースＰ１は、柔軟な素材としての革で構成され、ほぼ板状のピースであって、数字の「８」の字を太くしたような形状を有し、２つの穴Ｈ１１、Ｈ１２を具備し、折り線Ｌ１１を中心に左右対称の形状を有している。折り線Ｌ１１は、図２中、ピースＰ１のほぼ左右方向の中心に位置する。
【００１７】
また、２つの穴Ｈ１１、Ｈ１２の形状は、水滴の形状である。つまり、図２中、ピースＰ１の折り線Ｌ１１から見て、穴Ｈ１１の辺Ｅ１１側が直線または直線に近く、穴Ｈ１２の辺Ｅ１２側が直線または直線に近い。また、図２中、ピースＰ１の折り線Ｌ１１から見て、穴Ｈ１１の折り線Ｌ１１側が鋭角であることが好ましく、穴Ｈ１２の折り線Ｌ１２側が鋭角であることが好ましい。
【００１８】
辺Ｅ１１、Ｅ１２は、ピースＰ１を二つ折りにする前における折り線Ｌ１１とほぼ平行である。そして、折り線Ｌ１１の長さは、辺Ｅ１１、Ｅ１２の長さよりも短い。
【００１９】
図３は、ピースＰ１について、二つ折りにした後の状態を示す斜視図である。
【００２０】
ピースＰ１を、折り線Ｌ１１で二つ折りにすると、２つの穴Ｈ１１、Ｈ１２が重なり１つの穴Ｈ１３を形成する。
【００２１】
図３に示すピースＰ１と同じピースＰ１１（第１のピース）における重なった１つの穴Ｈ１３に、ピースＰ１と同じピースであってピースＰ１１とは異なるピースＰ１２（第２のピース）を二つ折りにしない状態でその半分を挿通する。そして、ピースＰ１２を二つ折りにし、重なった１つの穴Ｈ１３に、ピースＰ１と同じピースであってピースＰ１１、Ｐ１２とは異なるピースＰ１３（第３のピース）を二つ折りにしない状態でその半分を挿通する。そしてこのピースＰ１３を二つ折りにし、……、これらの処理を繰り返すことによって、複数のピースＰ１１、Ｐ１２、Ｐ１３、……、Ｐ１ｎが互いに連結されているピース連結体ＰＣ１を形成する。
【００２２】
図４は、ベルトＢ１を構成するバックルＢＫ１と接続手段Ｃ１とを示す斜視図である。
【００２３】
バックルＢＫ１は、リング１１と、ピン１２とを有する。
【００２４】
接続手段Ｃ１は、本体１３と、折り返し片１４、１５と、穴１６と、雄ねじＳ１とを有する。本体１３と、その折り返し片１４とが縫い合わされている。なお、この縫い合わせ作業を、ベルトＢ１の組立時に行う。また、本体１３の中央部と、折り返し片１５とに、それぞれ穴が設けられ、折り返し片１５を折り返したときに、これら２つの穴が一致し、穴１６を形成している。この穴１６に雄ねじＳ１を挿通し、図示しない雌ねじと螺合することによって、本体１３と折り返し片１５とによって、リングを形成する。
【００２５】
なお、本体１３と折り返し片１５とによって、リングを形成する前に、折り返し片１５を、ピースＰ１ｎの穴Ｈ１３に挿通し、その後に、本体１３と折り返し片１５とを合わせ、これによって形成された穴１６に、雄ねじＳ１を挿通し、図示しない雌ねじに螺合することによって、接続手段Ｃ１に、ピース連結体ＰＣ１を接続する。
【００２６】
つまり、雄ねじＳ１と図示しない雌ねじとは、ピースＰ１１の重なった１つの穴Ｈ１３から接続手段Ｃ１が外れないようにロックする手段であり、ピース連結体ＰＣ１の端部に位置するピースＰ１１と接続手段Ｃ１との外れを阻止する外れ阻止手段の例である。
【００２７】
ベルトＢ１を組み立てるには、まず、第１のピースＰ１１を第２のピースＰ１２の穴Ｈ１３に挿通し、上記第２のピースＰ１を折り曲げ、これによって出来上がった新たな穴Ｈ１３に、第３のピースＰ１３を折り曲げ、……という作業を繰り返せば、ピース連結体ＰＣ１が出来上がる。
【００２８】
一方、バックルＢＫ１におけるリング１１のピン１２の根元付近を、接続手段Ｃ１の折り返し片１４で巻き込み、折り返し片１４と本体１３とを縫い合わせる。そして、ピース連結体ＰＣ１の端部のピースＰ１の穴Ｈ１３に、接続手段Ｃ１の本体１３の折り返し片１５を挿通し、穴１６に雄ねじＳ１を挿通し、雌ねじと螺合すれば、図１に示すベルトＢ１が完成する。すなわち、接続手段Ｃ１にバックルＢＫ１が接続されているので、接続手段Ｃ１を介して、バックルＢＫ１とピース連結体ＰＣ１とが互いに接続され、ベルトＢ１が完成される。
【００２９】
上記実施例１は、ピースＰ１１、Ｐ１２、Ｐ１３、……、Ｐ１ｎをチェーン状に連結するので、ベルトＢ１を着用する着用者の体に、ベルトＢ１がフィットし易く、また、ピースＰ１１、Ｐ１２、Ｐ１３、……、Ｐ１ｎが、革で構成され、つまり柔軟な素材で構成されているので、伸縮性があり、着用時における窮屈感が少ない。なお、ピースＰ１として、革の代わりに、合成樹脂、布、強化紙の少なくとも１つで構成するようにしてもよい。
【００３０】
また、バックルＢＫ１とピース連結体ＰＣ１とを接続する接続手段Ｃ１が、着脱自在の雄ねじＳ１と雌ねじとでロックされているので、ロックを外せば、ピース連結体ＰＣ１を構成するピースＰ１の数を容易に増減することができ、したがって、ベルトＢ１の長さ調整がユーザでも容易である。
【００３１】
さらに、ベルトＢ１において、複数のピースＰ１１、Ｐ１２、Ｐ１３、……、Ｐ１ｎを、色違いで構成し、連結すれば、色変え等のカスタマイズが可能である。ユーザは、ベルトＢ１を購入した後に、ダメージを受けたピースのみを新品のピースと交換することができるので、長い目で見ればリーズナブルな商品である。
【００３２】
ところで、複数のピースＰ１の単体と、接続手段Ｃ１が接続されているバックルＢＫ１とから、ベルトＢ１を製造する場合、工具を必要とせず、人の手だけで製造することができ、腕力が弱い子供、高齢者でも、ベルトＢ１を組み立てることができる。したがって、知育や脳の活性化に役立つ。また、ベルトＢ１を構成するピースＰ１自体が小さいので、革の余った部分や傷によって大きなパーツを取ることができない革を利用することができるので、資源の有効利用になる。
【００３３】
上記実施例において、２つの穴Ｈ１１、Ｈ１２の形状として、水滴の形状の他に、三角形、長方形、台形、半円形、扇形、円形の少なくとも１つの形状であってもよい。
【実施例２】
【００３４】
図５は、本考案の実施例２であるベルトＢ２を示す全体構成図である。
【００３５】
ベルトＢ２は、ピース連結体ＰＣ２と、バックルＢＫ２と、接続手段Ｃ２と、ねじＳ２とを有する。ベルトＢ２がベルトＢ１と異なる点は、ピースＰ２の形状がピースＰ１の形状と異なる点である。
【００３６】
ピース連結体ＰＣ２は、複数のピースＰ２１、Ｐ２２、Ｐ２３、……、Ｐ２ｎが互いに連結して形成されている。
【００３７】
図６は、ピース連結体ＰＣ２を構成するピースＰ２１、Ｐ２２、……、Ｐ２ｎを代表して示すピースＰ２を示す斜視図であり、折り返される前の状態を示す図である。
【００３８】
ピースＰ２は、柔軟な素材としての革で構成され、ほぼ板状のピースであって、ほぼ四角形の形状を有し、２つの穴Ｈ２１、Ｈ２２を具備し、折り線Ｌ２１を中心に左右対称の形状を有している。折り線Ｌ２１は、図６中、ピースＰ２のほぼ左右方向の中心に位置する。
【００３９】
また、２つの穴Ｈ２１、Ｈ２２の形状は、ほぼ長方形である。つまり、図６中、ピースＰ２の折り線Ｌ２１から見て、穴Ｈ２１の辺Ｅ２１側が直線または直線に近く、穴Ｈ２２の辺Ｅ２２側が直線または直線に近い。
【００４０】
２つの穴Ｈ２１、Ｈ２２の形状として、四角形の他に、三角形、台形、半円形の少なくとも１つの形状であってもよい。
【００４１】
辺Ｅ２１、Ｅ２２は、ピースＰ２を二つ折りにする前における折り線Ｌ２１とほぼ平行である。そして、折り線Ｌ２１の長さは、辺Ｅ２１、Ｅ２２の長さよりも短い。
【００４２】
図７は、ピースＰ２について、二つ折りにした後の状態を示す斜視図である。
【００４３】
ピースＰ２を、折り線Ｌ２１で二つ折りにすると、２つの穴Ｈ２１、Ｈ２２が重なり１つの穴Ｈ２３を形成する。
【００４４】
図７に示すピースＰ２と同じピースＰ２１（第１のピース）における重なった１つの穴Ｈ２３に、ピースＰ２と同じピースであってピースＰ２１とは異なるピースＰ２２（第２のピース）を二つ折りにしない状態でその半分を挿通する。そして、ピースＰ２２を二つ折りにし、重なった１つの穴Ｈ２３に、ピースＰ２と同じピースであってピースＰ２１、Ｐ２２とは異なるピースＰ２３（第３のピース）を二つ折りにしない状態でその半分を挿通する。そしてこのピースＰ２３を二つ折りにし、……、これらの処理を繰り返すことによって、複数のピースＰ２１、Ｐ２２、Ｐ２３、……、Ｐ２ｎが互いに連結されているピース連結体ＰＣ２を形成する。
【００４５】
図８は、ベルトＢ２を構成するバックルＢＫ２と接続手段Ｃ２とを示す斜視図である。
【００４６】
バックルＢＫ２は、基本的にはバックルＢＫ１と同じであり、接続手段Ｃ２は、基本的には接続手段Ｃ１と同じである。
【００４７】
バックルＢＫ２は、リング２１と、ピン２２とを有する。
【００４８】
接続手段Ｃ２は、本体２３と、折り返し片２４、２５と、穴２６と、雄ねじＳ２とを有する。本体２３と、その折り返し片２４とが縫い合わされている。なお、この縫い合わせ作業を、ベルトＢ２の組立時に行う。また、図８中、右端部を折り線Ｌ２２で折り返した折り返し片２５を有し、本体２３の中央部と、折り返し片２５とに、それぞれ穴が設けられ、折り返し片２５を折り返したときに、これら２つの穴が一致し、穴２６を形成している。この穴２６に雄ねじＳ２を挿通し、図示しない雌ねじと螺合することによって、本体２３と折り返し片２５とによって、リングを形成する。
【００４９】
雄ねじＳ２と図示しない雌ねじとは、ピースＰ２１の重なった１つの穴Ｈ２３から接続手段Ｃ２が外れないようにロックする手段であり、ピース連結体ＰＣ２の端部に位置するピースＰ２１と接続手段Ｃ２との外れを阻止する外れ阻止手段の例である。
【００５０】
上記実施例２は、ベルトＢ２を着用する着用者の体に、ベルトＢ２がフィットし易く、また、伸縮性があり、着用時における窮屈感が少ない。なお、ピースＰ２として、革の代わりに、合成樹脂、布、強化紙の少なくとも１つで構成するようにしてもよい。
【００５１】
また、着脱自在の雄ねじＳ２と雌ねじとによって構成されているロックを外せば、ピース連結体ＰＣ２を構成するピースＰ２の数を容易に増減することができ、したがって、ベルトＢ２の長さ調整がユーザでも容易である。
【００５２】
さらに、ベルトＢ２において、複数のピースＰ２を、色違いで構成し、連結すれば、色変え等のカスタマイズが可能である。ユーザは、ベルトＢ２を購入した後に、ダメージを受けたピースのみを新品のピースと交換することができるので、長い目で見ればリーズナブルな商品である。
【００５３】
ところで、複数のピースＰ２の単体と、接続手段Ｃ２が接続されているバックルＢＫ２とから、ベルトＢ２を製造する場合、工具を必要とせず、人の手だけで製造することができる。したがって、腕力が弱い子供、高齢者でも、ベルトＢ２を組み立てることができ、知育や脳の活性化に役立つ。
【００５４】
また、ベルトＢ２を構成するピースＰ２自体が小さいので、革の余った部分や傷によって大きなパーツを取ることができない革を利用することができるので、資源の有効利用になる。
【００５５】
上記実施例２において、２つの穴Ｈ２１、Ｈ２２の形状として、長方形の他に、三角形、台形、半円形、扇形、円形の少なくとも１つの形状であってもよい。
【００５６】
上記ベルトＢ１、Ｂ２は、腰用ベルトであるが、腰用ベルトの他に、ショルダーストラップ、ハンドル（バック用ベルト）、アンクルベルト（自転車に乗る人のズボンの裾がチェーンに巻き込まれることを防止するために、ズボンの裾に巻き付けるベルト）、カメラ用ストラップ、ギター用ストラップ、ペットの首輪のうちの少なくとも１つとして使用するようにしてもよい。
【実施例３】
【００５７】
本考案の実施例３は、実施例１において、バックルＢＫ１、接続手段Ｃ１を削除した実施例である。
【００５８】
つまり、実施例３は、実施例１において、複数のピースＰ１１、Ｐ１２、Ｐ１３、……、Ｐ１ｎによってピース連結体ＰＣ１が形成され、このピース連結体ＰＣ１の両端が互いに、カシメ、所定のジョイント部材等の結合手段によって結合される実施例である。
【００５９】
または、実施例３は、実施例１において、複数のピースＰ１１、Ｐ１２、Ｐ１３、……、Ｐ１ｎによってピース連結体ＰＣ１が形成され、このピース連結体ＰＣ１の一端を所定の物品と結合し、他端も所定の物品と結合する結合手段が設けられている。
【００６０】
上記結合手段として、マグネット、ギボシ、面ファスナー、ねじ等、種々の手段が考えられる。
【００６１】
このような実施例３としては、ショルダーストラップ、ハンドル（バック用ベルト）、アンクルベルト、カメラ用ストラップ、ギター用ストラップ、ペットの首輪のうちの少なくとも１つが考えられる。
【実施例４】
【００６２】
実施例４は、実施例２において、バックルＢＫ２、接続手段Ｃ２を削除した実施例である。
【００６３】
つまり、実施例４は、実施例２において、複数のピースＰ２１、Ｐ２２、Ｐ２３、……、Ｐ２ｎによってピース連結体ＰＣ２が形成され、このピース連結体ＰＣ２の両端が互いに、カシメ、所定のジョイント部材等の結合手段によって結合される実施例である。
【００６４】
または、実施例４は、実施例２において、複数のピースＰ２１、Ｐ２２、Ｐ２３、……、Ｐ２ｎによってピース連結体ＰＣ２が形成され、このピース連結体ＰＣ２の一端を所定の物品と結合し、他端も所定の物品と結合する結合手段が設けられている。
【００６５】
上記結合手段として、マグネット、ギボシ、面ファスナー、ねじ等、種々の手段が考えられる。
【００６６】
このような実施例４としては、ショルダーストラップ、ハンドル、アンクルベルト、カメラ用ストラップ、ギター用ストラップ、ペットの首輪のうちの少なくとも１つが考えられる。
【符号の説明】
【００６７】
Ｂ１、Ｂ２…ベルト、
Ｐ１、Ｐ１１、Ｐ１２、Ｐ１３、Ｐ１ｎ…ピース、
Ｐ２、Ｐ２１、Ｐ２２、Ｐ２３、Ｐ２ｎ…ピース、
Ｃ１、Ｃ２…接続手段、
ＢＫ１、ＢＫ２…バックル。
【図１】
0003179376.tif 000003
【図２】
0003179376.tif 000004
【図３】
0003179376.tif 000005
【図４】
0003179376.tif 000006
【図５】
0003179376.tif 000007
【図６】
0003179376.tif 000008
【図７】
0003179376.tif 000009
【図８】
0003179376.tif 000010
【手続補正書】
【提出日】平成24年8月23日(2012.8.23)
【手続補正１】
【補正対象書類名】実用新案登録請求の範囲
【補正対象項目名】全文
【補正方法】変更
【補正の内容】
【実用新案登録請求の範囲】
【請求項１】
柔軟な素材で構成され、ほぼ板状のピースであって、少なくとも２つの穴を具備し、二つ折りにすると上記２つの穴が重なり１つの穴を形成する複数のピースと；
上記複数のピースの１つを二つ折りにし、上記重なった１つの穴に、上記複数のピースの他のピースを二つ折りにしない状態でその半分を挿通した後に、二つ折りにし、重なった１つの穴に、上記ピースのさらに他のピースを二つ折りにしない状態でその半分を挿通した後に、二つ折りにし、これらの処理を繰り返すことによって複数の上記ピースが連結されているピース連結体と；
バックルと；
上記ピース連結体の端部に位置する上記ピースを二つ折りにすることによって形成された１つの穴と上記バックルとを互いに接続する接続手段と；
上記ピース連結体の端部に位置する上記ピースと上記接続手段との外れを阻止する外れ阻止手段と；
を有することを特徴とするベルト。
【請求項２】
請求項１において、
上記ベルトは、腰用ベルト、ショルダーストラップ、ハンドル、アンクルベルト、カメラ用ストラップ、ギター用ストラップ、ペットの首輪のうちの少なくとも１つであることを特徴とするベルト。
【請求項３】
柔軟な素材で構成され、ほぼ板状のピースであって、少なくとも２つの穴を具備し、二つ折りにすると上記２つの穴が重なり１つの穴を形成する複数のピースと；
上記複数のピースの１つを二つ折りにし、上記重なった１つの穴に、上記複数のピースの他のピースを二つ折りにしない状態でその半分を挿通した後に、二つ折りにし、重なった１つの穴に、上記ピースのさらに他のピースを二つ折りにしない状態でその半分を挿通した後に、二つ折りにし、これらの処理を繰り返すことによって複数の上記ピースが連結されているピース連結体と；
上記ピース連結体の両端を互いに結合するか、または、上記ピース連結体の一端を所定の物品と結合し、他端も所定の物品と結合する結合手段と；
を有することを特徴とするベルト。
【請求項４】
請求項３において、
上記ベルトは、ショルダーストラップ、ハンドル、アンクルベルト、カメラ用ストラップ、ギター用ストラップ、ペットの首輪のうちの少なくとも１つであることを特徴とするベルト。
【請求項５】
請求項１または請求項３において、
上記ピースに具備されている少なくとも２つの穴の形状は、水滴の形状、三角形、長方形、台形、半円形、扇形、円形の少なくとも１つの形状であることを特徴とするベルト。
【請求項６】
請求項１または請求項３において、
上記ピースを折り線で二つ折りにする場合における上記折り線の長さは、上記ピースを二つ折りにする前における上記折り線とほぼ平行する辺の長さよりも短いことを特徴とするベルト。
【請求項７】
請求項１または請求項３において、
上記ピースは、革、合成樹脂、布、紙の少なくとも１つで構成されていることを特徴とするベルト。
【請求項８】
請求項１において、
上記外れ阻止手段は、上記接続手段と上記重なった１つの穴から着脱自在である手段であることを特徴とするベルト。
【請求項９】
請求項１において、
上記外れ阻止手段は、ねじであることを特徴とするベルト。